(57)【要約】      （修正有）【課題】ピックアップロールを支持する回動部材が上方に回動した時には、前記ソレノイドとピックアップロールとの間のリンク機構を分離し、下方の用紙取出位置に回動したときに自動的に前記リンク機構が確実に連動して作動するような構成を有する給紙装置を提供する。【解決手段】給紙動作を行う動作位置に回動した状態では下向きとなり上方に回動したロール着脱位置では上向きとなるロール装着面を有する給紙用ロール支持部材３０と、ピックアップロール装着部材Ｖ５と一体的に回転し且つ軸方向端部において半径方向に突出する突出部材を有するピックアップロール装着部材連結軸３７と、ロール回転伝達軸の回転をフィードロールおよびピックアップロールに伝達するロール回転力伝達部材とを有する給紙装置。【選択図】図３
2005320153.tif 000002
【特許請求の範囲】
【請求項１】
下記の構成要件（Ａ０１）〜（Ａ０５）を備えた給紙装置、
（Ａ０１）給紙動作が行われる動作位置と水平軸回りに上方に回動したロール着脱位置との間で回動可能に支持され且つ給紙トレイの給紙側端部の上方に配置された給紙用回動部材であって、前記動作位置に回動した状態では下向きとなり前記上方に回動したロール着脱位置では上向きとなるロール装着面を有し、前記ロール装着面側にフィードロールおよびピックアップロール装着部材が回動可能に装着される前記給紙用回動部材、
（Ａ０２）前記給紙用回動部材が前記動作位置に回動した状態において、下方に回動した下方位置（用紙取出位置）と上方に回動した上方位置（待機位置）との間で回動可能且つピックアップロールが装着される前記取出ロール装着部材、
（Ａ０３）前記ピックアップロール装着部材を常時下方に回動させるように前記取出ロール装着部材に回転力を付与する弾性部材、
（Ａ０４）伸縮ロッドを有し固定支持されたソレノイドと、前記ソレノイトが非通電状態では前記弾性部材により下方に回動する力を受ける前記ピックアップロール装着部材を前記弾性部材の力に抗して前記上方位置に移動させるように作用する上方移動用弾性部材とを有し、前記ソレノイドに通電されて前記伸縮ロッドが伸長または収縮した状態では前記弾性部材がピックアップロール装着部材を下方に移動させるのを許容する位置に前記上方移動用弾性部材を移動させるピックアップロール装着部材位置調節装置、
（Ａ０５）前記給紙用回動部材に回転可能に支持された回転伝達軸と、前記回転伝達軸の一端部に装着された回転導入ギヤであって前記給紙用回動部材が前記動作位置に回動した状態で固定配置ギヤから回転力が伝達される前記回転導入ギヤと、前記回転伝達軸の他端部に装着された回転出力ギヤと、前記回転出力ギヤの回転を前記フィードロールに伝達するフィードロール回転伝達ギヤと、前記回転出力ギヤの回転をピックアップロールに伝達するピックアップロール回転伝達ギヤであって前記フィードロール回転伝達ギヤとは異なる前記ピックアップロール回転伝達ギヤを有するロール回転力伝達部材。
【請求項２】
下記の構成要件（Ａ０６）を備えた請求項１記載の給紙装置、
（Ａ０６）前記取出ロール装着部材と一体的に回動する取出ロール装着部材支持軸であって、前記フィードロールの回転軸とは異なる位置に配置された前記取出ロール装着部材支持軸。
【請求項３】
下記の構成要件（Ａ０７），（Ａ０８）を備えた請求項１または２記載の給紙装置、
（Ａ０７）ピックアップロールが装着される前記ピックアップロール装着部材と一体的に回転し且つ軸方向端部において半径方向に突出する突出部材を有するとともに前記給紙用回動部材により回動可能に支持された前記取出ロール装着部材支持軸であって、前記給紙用回動部材が動作位置に移動した状態で、前記ピックアップロール装着部材が下方に回動した下方位置と上方に回動した上方位置との間で回動可能な前記取出ロール装着部材支持軸、
（Ａ０８）伸縮ロッドを有し固定支持されたソレノイドと、前記伸縮ロッドの先端部に連結され且つ前記取出ロール装着部材支持軸の突出部材に当接する当接部材と、前記ピックアップロール装着部材を前記弾性部材の力に抗して前記上方位置に移動させるように前記当接部材を前記突出部材に当接させる上方移動用弾性部材とを有し、前記ソレノイドに通電された状態では前記弾性部材がピックアップロール装着部材を下方に移動させるのを許容する位置に前記当接部材を移動させるピックアップロール装着部材位置調節装置、
【請求項４】
下記の構成要件（Ａ０９），（Ａ０１０）を備えた請求項３記載の給紙装置、
（Ａ０９）円筒軸により構成された前記取出ロール装着部材支持軸、
（Ａ０１０）前記取出ロール装着部材支持軸を構成する円筒軸の内部を貫通する前記回転伝達軸。
【請求項５】
下記の構成要件（Ａ０１１）を備えた画像形成装置、
（Ａ０１１）請求項１ないし４のいずれか記載の給紙装置。
【発明の詳細な説明】
【技術分野】
【０００１】  本発明は、複写機、プリンタ、ファクシミリ等の画像形成装置で使用される給紙装置および前記画像形成装置に関する。
【背景技術】
【０００２】  画像形成装置における給紙装置のロールへの駆動伝達構造は、従来では、フィードロールまたはフィードロール軸上の駆動手段（ギアなど）を介してピックアップロールに伝えられる構成が採用されている。この種の従来技術が記載されているものとしては次の特許文献が従来公知である。
特許文献１：特開平１０−２１２０４４号公報
特許文献２：特開平６−１１５７３２号公報
前記特許文献１，２等に記載された従来技術は、ロールの交換に際しての作業性は良いとは言えず、その改善には構造の見直しが必要だった。【０００３】  従来技術での工具を使用しないロール交換の例としては、ロールを支持するピンを指で押込んで着脱する構造によるロール交換手段がある。この種の技術が記載されているものとしては次の特許文献が従来公知である。
特許文献３：特開２０００−２２９７３６号公報
特許文献４：特開２０００−２２９７３７号公報
これらの特許文献３，４に記載された技術では、リタードロールの構成体および、フィードロールとピックアップロールと介在するギアとブラケットを含む構成体での交換となっている。【０００４】
【特許文献１】：特開平１０−２１２０４４号公報
【特許文献２】：特開平６−１１５７３２号公報
【特許文献３】：特開２０００−２２９７３６号公報
【特許文献４】：特開２０００−２２９７３７号公報
【発明の開示】
【発明が解決しようとする課題】
【０００５】  前記特許文献３，４記載の従来技術は、前述したようにフィードロールとピックアップロールを同時に交換する技術であり、この技術では、ロールに掛かる搬送負荷の違いにより比較的摩耗劣化の少ないピックアップロールでも、フィードロールの摩耗劣化寿命に合わせて寿命を残しての交換となることがあり効率的なタイミングでの交換ができていない。更に、ロール寿命よりも長い寿命を持つギアやブラケットも同様に交換されることになり、交換部品コストが余計に必要であった。
また、使用済み部品のリユースおよびリサイクル利用の為の分解作業において、工具が必要なであり、これらの作業コストも高かった。
また、前記従来技術の駆動機構ではフィードロールをピンによる支持に変える構造は困難であり、駆動伝達方法及び、ピックアップロール支持ブラケットの回動支点を変える必要があった。【０００６】  本発明は、前述の事情に鑑み、給紙装置において、次の記載内容（Ｏ０１）〜（Ｏ０４）を技術的課題とする。
（Ｏ０１）従来技術でのフィードロールとピックアップロールおよび介在するギアやブラケットを含む構成体での同時交換による非効率な交換を改善し、フィードロールおよびピックアップロールのそれぞれを、適切なタイミングで工具無しで容易に交換をできること。
（Ｏ０２）交換する構成体は、その後のリユースやリサイクルでの分解作業も工具無しで容易にできるようにすること。
（Ｏ０３）ピックアップロールの回転駆動がフィードロールおよびフィードロール軸上の駆動伝達手段を介さずに伝達することで、ピックアップロールの支持ブラケットの回動支点となる駆動シャフトを任意の位置にすることができるようにすること。
（Ｏ０４）小スペース化などに対応した効率的な駆動配置を可能にすること。
【課題を解決するための手段】
【０００７】（本発明）
次に、前記課題を解決した本発明を説明するが、本発明の要素には、後述の実施の形態の具体例（実施例）の要素との対応を容易にするため、実施例の要素の符号をカッコで囲んだものを付記する。また、本発明を後述の実施例の符号と対応させて説明する理由は、本発明の理解を容易にするためであり、本発明の範囲を実施例に限定するためではない。【０００８】（第１発明）
第１発明の給紙装置は、下記の構成要件（Ａ０１）〜（Ａ０５）を備えたことを特徴とする。
（Ａ０１）給紙動作が行われる動作位置と水平軸回りに上方に回動したロール着脱位置との間で回動可能に支持され且つ給紙トレイの給紙側端部の上方に配置された給紙用回動部材であって、前記動作位置に回動した状態では下向きとなり前記上方に回動したロール着脱位置では上向きとなるロール装着面を有し、前記ロール装着面側にフィードロールおよびピックアップロール装着部材が回動可能に装着される前記給紙用回動部材、
（Ａ０２）前記給紙用回動部材が前記動作位置に回動した状態において、下方に回動した下方位置（用紙取出位置）と上方に回動した上方位置（待機位置）との間で回動可能且つピックアップロールが装着される前記取出ロール装着部材、
（Ａ０３）前記ピックアップロール装着部材を常時下方に回動させるように前記取出ロール装着部材に回転力を付与する弾性部材、
（Ａ０４）伸縮ロッドを有し固定支持されたソレノイドと、前記ソレノイドが非通電状態では前記弾性部材により下方に回動する力を受ける前記ピックアップロール装着部材を前記弾性部材の力に抗して前記上方位置に移動させるように作用する上方移動用弾性部材とを有し、前記ソレノイドに通電されて前記伸縮ロッドが伸長または収縮した状態では前記弾性部材がピックアップロール装着部材を下方に移動させるのを許容する位置に前記上方移動用弾性部材を移動させるピックアップロール装着部材位置調節装置、
（Ａ０５）前記給紙用回動部材に回転可能に支持された回転伝達軸と、前記回転伝達軸の一端部に装着された回転導入ギヤであって前記給紙用回動部材が前記動作位置に回動した状態で固定配置ギヤから回転力が伝達される前記回転導入ギヤと、前記回転伝達軸の他端部に装着された回転出力ギヤと、前記回転出力ギヤの回転を前記フィードロールに伝達するフィードロール回転伝達ギヤと、前記回転出力ギヤの回転をピックアップロールに伝達するピックアップロール回転伝達ギヤであって前記フィードロール回転伝達ギヤとは異なる前記ピックアップロール回転伝達ギヤを有するロール回転力伝達部材。【０００９】（第１発明の作用）
前記構成要件（Ａ０１）〜（Ａ０５）を備えた第１発明の給紙装置では、給紙動作が行われる動作位置と水平軸回りに上方に回動したロール着脱位置との間で回動可能に支持され且つ給紙トレイの給紙側端部の上方に配置された給紙用回動部材は、前記動作位置に回動した状態では下向きとなり前記上方に回動したロール着脱位置では上向きとなるロール装着面を有し、前記ロール装着面側にフィードロールおよびピックアップロール装着部材が回動可能に装着される。
前記取出ロール装着部材は、前記給紙用回動部材が前記動作位置に回動した状態において、下方に回動した下方位置（用紙取出位置）と上方に回動した上方位置（待機位置）との間で回動可能且つピックアップロールが装着される。
弾性部材は、前記ピックアップロール装着部材を常時下方に回動させるように前記取出ロール装着部材に回転力を付与する。
伸縮ロッドを有し固定支持されたソレノイドと、前記ソレノイドが非通電状態では前記弾性部材により下方に回動する力を受ける前記ピックアップロール装着部材を前記弾性部材の力に抗して前記上方位置に移動させるように作用する上方移動用弾性部材とを有するピックアップロール装着部材位置調節装置は、前記ソレノイドに通電されて前記伸縮ロッドが伸長または収縮した状態では前記弾性部材がピックアップロール装着部材を下方に移動させるのを許容する位置に前記上方移動用弾性部材を移動させる。
ロール回転力伝達部材の回転伝達軸は、前記給紙用回動部材に回転可能に支持される。前記回転伝達軸の一端部に装着された回転導入ギヤは、前記給紙用回動部材が前記動作位置に回動した状態で固定配置ギヤから回転力が伝達される。前記回転伝達軸の他端部に装着された回転出力ギヤの回転は、フィードロール回転伝達ギヤにより前記フィードロールに伝達される。前記フィードロール回転伝達ギヤとは異なる前記ピックアップロール回転伝達ギヤは、前記回転出力ギヤの回転をピックアップロールに伝達する。【００１０】（第１発明の形態１）
第１発明の形態１の給紙装置は、前記第１発明において下記の構成要件（Ａ０６）を備えたことを特徴とする。
（Ａ０６）前記取出ロール装着部材と一体的に回動する取出ロール装着部材支持軸であって、前記フィードロールの回転軸とは異なる位置に配置された前記取出ロール装着部材支持軸。【００１１】（第１発明の形態１の作用）
前記構成要件（Ａ０６）を備えた第１発明の形態１の給紙装置では、前記取出ロール装着部材と一体的に回動する取出ロール装着部材支持軸は、前記フィードロールの回転軸とは異なる位置に配置される。【００１２】（第１発明の形態２）
第１発明の形態２の給紙装置は、前記第１発明または第１発明の形態１において、下記の構成要件（Ａ０７），（Ａ０８）を備えたことを特徴とする。
（Ａ０７）ピックアップロールが装着される前記ピックアップロール装着部材と一体的に回転し且つ軸方向端部において半径方向に突出する突出部材を有するとともに前記給紙用回動部材により回動可能に支持された前記取出ロール装着部材支持軸であって、前記給紙用回動部材が動作位置に移動した状態で、前記ピックアップロール装着部材が下方に回動した下方位置と上方に回動した上方位置との間で回動可能な前記取出ロール装着部材支持軸、
（Ａ０８）伸縮ロッドを有し固定支持されたソレノイドと、前記伸縮ロッドの先端部に連結され且つ前記取出ロール装着部材支持軸の突出部材に当接する当接部材と、前記ピックアップロール装着部材を前記弾性部材の力に抗して前記上方位置に移動させるように前記当接部材を前記突出部材に当接させる上方移動用弾性部材とを有し、前記ソレノイドに通電された状態では前記弾性部材がピックアップロール装着部材を下方に移動させるのを許容する位置に前記当接部材を移動させるピックアップロール装着部材位置調節装置、【００１３】（第１発明の形態２の作用）
前記構成要件（Ａ０７），（Ａ０８）を備えた第１発明の形態２の給紙装置では、ピックアップロールが装着される前記ピックアップロール装着部材と一体的に回転し且つ軸方向端部において半径方向に突出する突出部材を有する取出ロール装着部材支持軸は前記給紙用回動部材により回動可能に支持される。前記取出ロール装着部材支持軸は、前記給紙用回動部材が動作位置に移動した状態で、前記ピックアップロール装着部材が下方に回動した下方位置と上方に回動した上方位置との間で回動する。
伸縮ロッドを有し固定支持されたソレノイドと、前記伸縮ロッドの先端部に連結され且つ前記取出ロール装着部材支持軸の突出部材に当接する当接部材と、前記ピックアップロール装着部材を前記弾性部材の力に抗して前記上方位置に移動させるように前記当接部材を前記突出部材に当接させる上方移動用弾性部材とを有するピックアップロール装着部材位置調節装置は、前記ソレノイドに通電された状態では前記弾性部材がピックアップロール装着部材を下方に移動させるのを許容する位置に前記当接部材を移動させる。【００１４】（第１発明の形態３）
第１発明の形態３の給紙装置は、前記第１発明の形態２において、下記の構成要件（Ａ０９），（Ａ０１０）を備えたことを特徴とする。
（Ａ０９）円筒軸により構成された前記取出ロール装着部材支持軸、
（Ａ０１０）前記取出ロール装着部材支持軸を構成する円筒軸の内部を貫通する前記回転伝達軸。【００１５】（第１発明の形態３の作用）
前記構成要件（Ａ０９），（Ａ０１０）を備えた第１発明の形態３の給紙装置では、回転伝達軸は、円筒軸により構成された前記取出ロール装着部材支持軸を構成する円筒軸の内部を貫通する。【００１６】（第２発明）
第２発明の画像形成装置は、下記の構成要件（Ａ０１１）を備えたことを特徴とする画像形成装置、
（Ａ０１１）前記第１発明または第１発明の形態１ないし３のいずれか記載の給紙装置。【００１７】（第２発明の作用）
前記構成要件（Ａ０１１）を備えた第２発明の画像形成装置では、前記第１発明または第１発明の形態１ないし３のいずれか記載の給紙装置を備えているので、第２発明で使用する給紙装置は、前記第１発明または第１発明の形態１ないし４のいずれか記載の給紙装置と同様の作用を奏する。
【発明の効果】
【００１８】  前述の本発明は、下記の効果（Ｅ０１）〜（Ｅ０４）を奏する。
（Ｅ０１）従来技術でのフィードロールとピックアップロールおよび介在するギアやブラケットを含む構成体での同時交換による非効率な交換を改善し、フィードロールおよびピックアップロールのそれぞれを、適切なタイミングで工具無しで容易に交換をできること。
（Ｅ０２）交換する構成体は、その後のリユースやリサイクルでの分解作業も工具無しで容易にできるようにすること。
（Ｅ０３）ピックアップロールの回転駆動がフィードロールおよびフィードロール軸上の駆動伝達手段を介さずに伝達することで、ピックアップロールの支持ブラケットの回動支点となる駆動シャフトを任意の位置にすることができるようにすること。
（Ｅ０４）小スペース化などに対応した効率的な駆動配置を可能にすること。
【発明を実施するための最良の形態】
【００１９】  次に図面を参照しながら、本発明の実施の形態の具体例（実施例）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
【実施例】
【００２０】（実施例１）
図１は本発明の実施例１の画像形成装置（タンデム式デジタルカラー複写機）の全体説明図である。
図１において、画像形成装置Ｕは、ＵＩ（ユーザインタフェース）、イメージ入力装置Ｕ１、給紙装置Ｕ２、画像形成装置本体Ｕ３、および用紙処理装置Ｕ４を有している。【００２１】（ユーザインタフェースＵＩ）：
ＵＩは、コピースタートキー（図示せず）、コピー枚数設定キー、テンキー等の入力キーおよび表示器ＵＩ１を有している。
（イメージ入力装置Ｕ１）：
イメージ入力装置Ｕ１は、自動原稿搬送装置およびイメージスキャナ等により構成されている。
図１において、イメージ入力装置Ｕ１では、照明された原稿（図示せず）からの反射光は、図示しない露光光学系、ＣＣＤ（固体撮像素子）帯状パイル織物画像処理回路（図示せず）でＲ（赤）、Ｇ（緑）、Ｂ（青）の画像データに変換されて、所定のタイミングで画像形成装置本体Ｕ３に入力される。【００２２】（給紙装置Ｕ２）：
給紙装置Ｕ２は複数の給紙トレイＴＲ１〜ＴＲ４、前記各給紙トレイＴＲ１〜ＴＲ４に収容された画像記録用の記録用紙Ｓを取り出して画像形成装置本体Ｕ３に搬送する給紙路ＳＨ１等を有している。【００２３】（画像形成装置本体Ｕ３）：
図１において、画像形成装置本体Ｕ３は、前記給紙装置Ｕ２から搬送された記録用紙Ｓに画像記録を行う画像記録部（詳細は後述）、トナーディスペンサー装置Ｕ３ａ、および用紙搬送路ＳＨ２、用紙排出路ＳＨ３、用紙反転路ＳＨ４、用紙循環路ＳＨ６等を有している。
また、画像形成装置本体Ｕ３は、コントロールＣ、および前記コントロールＣにより制御されるレーザ駆動回路Ｄおよび電源回路Ｅ等を有している。コントロールＣにより作動を制御されるレーザ駆動回路Ｄは、前記イメージ入力装置Ｕ１から入力されたＹ（イエロー）、Ｍ（マゼンタ）、Ｃ（シアン）、Ｋ（黒）の画像データに応じたレーザ駆動信号を所定のタイミングで、各色のトナー像形成装置ＵＹ，ＵＭ，ＵＣ，ＵＫの潜像形成装置ＲＯＳｙ，ＲＯＳｍ，ＲＯＳｃ，ＲＯＳｋに出力する。なお、前記各色のトナー像形成装置ＵＹ，ＵＭ，ＵＣ，ＵＫは、画像形成装置本体Ｕ３の前方に引き出された引出位置と画像形成装置本体Ｕ３内部に装着された装着位置との間で移動可能に支持されている。【００２４】  図１において、Ｋ（黒）のトナー像形成装置ＵＫの感光体ドラム（トナー像担持体）Ｐｋの周囲には、帯電器ＣＣｋ、現像器Ｇｋ、クリーナＣＬｋ等が配置されている。
そして、他のトナー像形成装置ＵＹ，ＵＭ，ＵＣの前記感光体ドラムＰｙ，Ｐｍ，Ｐｃの周囲にもそれぞれ前記感光体ドラムＰｋの周囲と同様の帯電器ＣＣｙ，ＣＣｍ，ＣＣｃ、現像器Ｇｙ，Ｇｍ，Ｇｃ、クリーナＣＬｙ，ＣＬｍ，ＣＬｃ等が配置されている。【００２５】  図１において、感光体ドラムＰｙ，Ｐｍ，Ｐｃ，Ｐｋは、それぞれ帯電器ＣＣｙ，ＣＣｍ，ＣＣｃ，ＣＣｋにより一様に帯電された後、前記潜像形成装置ＲＯＳｙ，ＲＯＳｍ，ＲＯＳｃ，ＲＯＳｋの出力するレーザビームＬｙ，Ｌｍ，Ｌｃ，Ｌｋによりその表面に静電潜像が形成される。前記感光体ドラムＰｙ，Ｐｍ，Ｐｃ，Ｐｋ表面の静電潜像は、現像器Ｇｙ，Ｇｍ，Ｇｃ，ＧｋによりＹ（イエロー）、Ｍ（マゼンタ）、Ｃ（シアン）、Ｋ（黒）の色のトナー像に現像される。【００２６】  感光体ドラムＰｙ，Ｐｍ，Ｐｃ，Ｐｋ表面上のトナー像は、１次転写ロールＴ１ｙ，Ｔ１ｍ，Ｔ１ｃ，Ｔ１ｋにより中間転写ベルトＢ上に順次重ねて転写され、中間転写ベルトＢ上にカラー画像が形成される。中間転写ベルトＢ上に形成されたカラートナー像は、２次転写領域Ｑ４に搬送される。
なお、黒画像データのみの場合はＫ（黒）の感光体ドラムＰｋおよび現像器Ｇｋのみが使用され、黒のトナー像のみが形成される。
１次転写後、感光体ドラムＰｙ，Ｐｍ，Ｐｃ，Ｐｋ表面の残留トナーは感光体ドラム用のクリーナＣＬｙ，ＣＬｍ，ＣＬｃ，ＣＬｋによりクリーニングされる。【００２７】  ベルトモジュールＢＭは、前記中間転写ベルトＢと、ベルト駆動ロールＲｄ、テンションロールＲｔ、ウォーキングロールＲｗ、複数のアイドラロール（フリーロール）ＲｆおよびバックアップロールＴ２ａを含むベルト支持ロール（Ｒｄ，Ｒｔ，Ｒｗ，Ｒｆ，Ｔ２ａ）と、前記１次転写ロールＴ１ｙ，Ｔ１ｍ，Ｔ１ｃ，Ｔ１ｋとを有している。そして、前記中間転写ベルトＢは前記ベルト支持ロール（Ｒｄ，Ｒｔ，Ｒｗ，Ｒｆ，Ｔ２ａ）により矢印Ｙａ方向に回転移動可能に支持されている。【００２８】  前記バックアップロールＴ２ａの下方には２次転写ユニットＵｔが配置されている。２次転写ユニットＵｔの２次転写ロールＴ２ｂは、前記中間転写ベルトＢを挟んでバックアップロールＴ２ａに離隔および圧接可能（離接可能）に配置されており、前記２次転写ロールＴ２ｂが中間転写ベルトＢと圧接する領域（ニップ）により２次転写領域Ｑ４が形成されている。また、前記バックアップロールＴ２ａにはコンタクトロールＴ２ｃが当接しており、前記ロールＴ２ａ〜Ｔ２ｃにより２次転写器（転写装置）Ｔ２が構成されている。
前記コンタクトロールＴ２ｃにはコントロールＣにより制御される電源回路から所定のタイミングでトナーの帯電極性と同極性の２次転写電圧が印加される。【００２９】  前記ベルトモジュールＢＭ下方には用紙搬送路ＳＨ２が配置されている。前記給紙装置Ｕ２の給紙路ＳＨ１から給紙された記録用紙Ｓは、前記用紙搬送路ＳＨ２のレジロールＲｒに搬送されて、カラートナー像が２次転写領域Ｑ４に搬送されるのにタイミングを合わせてレジ側用紙ガイドＳＧｒ、転写前用紙ガイドＳＧ２を通って２次転写領域Ｑ４に搬送される。
なお、レジ側用紙ガイドＳＧｒはレジロールＲｒとともに、画像形成装置本体Ｕ３に固定されている。
前記中間転写ベルトＢ上のカラートナー像は、前記２次転写領域Ｑ４を通過するする際に前記２次転写器Ｔ２により前記記録用紙Ｓに転写される。なお、フルカラー画像の場合は中間転写ベルトＢ表面に重ねて１次転写されたトナー像が一括して記録用紙Ｓに２次転写される。【００３０】  ２次転写後の前記中間転写ベルトＢは、ベルトクリーナＣＬＢによりクリーニングされる。なお、前記２次転写ロールＴ２ｂおよびベルトクリーナＣＬＢは、中間転写ベルトＢと離接自在（離隔および接触自在）に配設されている。【００３１】  トナー像が２次転写された前記記録用紙Ｓは、転写後用紙ガイドＳＧ３、用紙搬送ベルトＢＨを通って定着装置Ｆの一対の定着ロールＦｈと加圧ロールＦｐとが圧接する領域（定着領域）Ｑ５に搬送される。前記記録用紙Ｓ上のトナー像は定着領域Ｑ５を通過する際に定着装置Ｆにより加熱定着される。前記定着装置Ｆの下流側には切替ゲートＧＴ１が設けられている。前記切替ゲートＧＴ１は用紙搬送路ＳＨ２を搬送されて定着領域Ｑ５で加熱定着された記録用紙Ｓを、
用紙排出路ＳＨ３または用紙反転路ＳＨ４側のいずれかに選択的に切り替える。前記用紙排出路ＳＨ３に搬送された用紙Ｓは、用紙処理装置Ｕ４の用紙搬送路ＳＨ５に搬送される。
前記用紙搬送路ＳＨ５に配置されたカール補正部材Ｕ４ａによりカールを補正された後、排出ロールＲｈから用紙処理装置Ｕ４の排出トレイＴＨ１にフェイスアップ（用紙の画像定着面が上向き）で排出される。【００３２】  前記切替ゲートＧＴ１により画像形成装置本体Ｕ３の前記用紙反転路ＳＨ４側に搬送された用紙は、用紙部材により構成されたマイラゲートＧＴ２を通って画像形成装置本体Ｕ３の前記用紙反転路ＳＨ４に搬送される。この用紙反転路ＳＨ４に搬送された用紙を反転させた後に、前記用紙搬送路ＳＨ３、ＳＨ５に搬送して前記用紙処理装置Ｕ４の用紙排出トレイＴＨ１からフェイスダウン（用紙の画像定着面が下向き）で排出することができる。その場合には、前記マイラーゲートＧＴ２を用紙後端が通過した直後に用紙をスイッチバックさせる。前記マイラーゲートＧＴ２は用紙反転路ＳＨ４に搬送されてきた記録用紙Ｓをそのまま一旦通過させ、通過した記録用紙Ｓがスイッチバックして搬送されてくると、用紙処理装置Ｕ４側に搬送する。【００３３】  前記画像形成装置本体の用紙反転路ＳＨ４の途中には用紙循環路ＳＨ６が接続されており、その接続部にはマイラゲートＧＴ３が配置されている。前記画像形成装置本体の用紙反転路ＳＨ４の下流端は用紙処理装置Ｕ４の用紙反転路ＳＨ７に接続されている。
前記切替ゲートＧＴ１を通って用紙搬送路ＳＨ４に搬送された用紙は、前記マイラーゲートＧＴ３により前記用紙処理装置Ｕ４の用紙反転路ＳＨ７側に搬送される。前記マイラーゲートＧＴ３は用紙反転路ＳＨ４を搬送されてきた記録用紙Ｓをそのまま一旦通過させ、通過した記録用紙Ｓをスイッチバックさせると、前記スイッチバックした用紙を用紙循環路ＳＨ６側に搬送する。
前記用紙循環路ＳＨ６に搬送された記録用紙Ｓは前記給紙路ＳＨ１を通って前記転写領域Ｑ４に再送される。【００３４】  前記用紙搬送路ＳＨ３またはＳＨ４から、用紙処理装置Ｕ４に搬送された用紙は、用紙処理装置Ｕ４のシート搬送路ＳＨ５からゲートＧＴ４に搬送される。ゲートＧＴ４の用紙搬送方向下流側には、前記カール補正装置Ｕ４ａが配置されている。カール補正装置Ｕ４ａは、第１カール補正部材Ｌ１と第２カール補正部材Ｌ２とを有している。前記ゲートＧＴ４は、シート搬送路ＳＨ５から搬送されてきた用紙を、その用紙のカールの向きに応じて、前記第１カール補正部材Ｌ１または第２カール補正部材Ｌ２のいずれか一方に搬送する。前記第１および第２カール補正部材Ｌ１，Ｌ２は、カール補正用回転ベルトとそれに圧接するカール補正用回転ロールとを有している。前記カール補正用回転ベルトとそれに圧接するカール補正用回転ロールとの圧接領域であるニップを通過する用紙は、カールが補正される。【００３５】  前記符号ＳＨ１〜ＳＨ７で示された要素により用紙搬送路ＳＨが構成されている。また、前記符号ＳＨ，Ｒａ，Ｒｒ，Ｒｈ，ＳＧｒ，ＳＧ１〜ＳＧ３，ＢＨ、ＧＴ１〜ＧＴ３で示された要素により用紙搬送装置ＳＵが構成されている。【００３６】  図２は図１の要部拡大説明図で、給紙トレイＴＲ４の右端部の用紙取出部の説明図である。
図２において、前記各給紙トレイＴＲ１〜ＴＲ３の左右（Ｙ軸方向）にはそれぞれ、前後（Ｘ軸方向すなわち、図１〜図１で紙面に垂直な方向）に延びるレール１，２が配置されている。各給紙トレイＴＲ１〜ＴＲ４の左右にそれぞれ配置されたレール１の下面下側にはそれぞれローラ３（図２参照）が回転自在に支持されている。ローラ３の上部は、レール１の下面に形成された孔からレール１の上方に突出している。【００３７】  図２において、前記各給紙トレイＴＲ１〜ＴＲ４の左右両側の下部にはそれぞれ、外方に膨出する被ガイドレール４が前後に延びて設けられており、前記被ガイドレール４は前記レール１下面の前記ローラ３上面に支持されている。したがって、前記各給紙トレイＴＲ１〜ＴＲ４は、前記左右の各レール１，１に沿って前後方向（Ｘ軸方向）に出入可能に構成されている。【００３８】  図２から分かるように、前記各給紙トレイＴＲ１〜ＴＲ４の底板６の上面には、用紙が載置される用紙載置プレート７が収容されている。用紙載置プレート７は、図示しないワイヤを用いた昇降機構により上昇および下降可能に構成されている。前記用紙載置プレートを昇降させる構成は従来公知であり、従来公知の種々の構成を採用することが可能である。
前記用紙載置プレート７が上昇して、用紙載置プレート７上に載置された用紙が送り出されて搬送される際、その用紙の搬送方向に沿った両側端は図２に示す用紙側端位置決め部材８によってガイドされるように構成されている。
図２において、各給紙トレイＴＲ１〜ＴＲ４の前記用紙の搬送方向の前端（図で右端）は用紙前端支持壁９により支持され、用紙の搬送方向後端は用紙後端支持壁（図示せず）により支持されている。【００３９】  図３は給紙装置の説明図で、図３Ａは給紙装置のリタードロール、フィードロール、ピックアップロール装着部材、およびピックアップロールを除いた給紙装置をシート搬送方向上流側の斜め上方から見た斜視図、図３Ｂはリタードロールユニットの斜視図、図３Ｃはフィードロールユニットの斜視図、図３Ｄはピックアップロール装着部材の斜視図、図３Ｅはピックアップロールの斜視図である。
図２、図３において前記各給紙トレイＴＲ１〜ＴＲ４の左上には、給紙装置Ｖ（図２参照）が配置されている。この給紙装置Ｖは給紙用固定部材Ｖ１と、前記給紙用固定部材Ｖ１に対して回動可能な給紙用回動ユニットＶ２とを有している。給紙用固定部材Ｖ１は、後部（−Ｘ部）に配置した後部固定部材Ｖ１ａと前部（Ｘ部）に配置した前部固定部材Ｖ１ｂと前記後部固定部材Ｖ１ａおよび前部固定部材Ｖ１ｂとを連結する中間固定部材Ｖ１ｃ（図２参照）とを有している。
図３において、給紙用固定部材Ｖ１の後部固定部材Ｖ１ａは、駆動部材収容ケース１１を有しており、前記駆動部材収容ケース１１内部には、給紙用駆動モータＭ１と、前記給紙用駆動モータＭ１により回転駆動されるギヤ列（図示せず）とが収容されている。【００４０】  図４は前記図３の給紙装置の要部をシート搬送方向下流側の斜め上方から見た斜視図である。
図５はピックアップロール装着部材位置調節装置の説明図で、図５Ａは斜視図、図５Ｂは前記図５Ａの矢印ＶＢから見た図である。
図６は図３の矢印ＩＶＡ−ＩＶＡ線から見た部分の説明図で、図６Ａは着脱自在なリタードロールを外した状態での図３の矢印ＩＶＡ−ＩＶＡ線断面図、図６Ｂは前記図６ＡのＩＶＢ−ＩＶＢ線断面拡大図である。
図７は前記図３の矢印ＶＡ−ＶＡから見た部分の説明図で、図７Ａは給紙用回動ユニットをロール着脱位置に回動させ且つリタードロール、フィードロールおよびピックアップロールを着脱する前の状態を示す図、図７Ｂは前記図７ＡのＶＢ−ＶＢ線断面拡大図、図７Ｃは前記図７ＡのＶＣ−ＶＣ線断面拡大図である。
図８は前記図３の矢印ＶＡ（ＶＩＡ）−ＶＡ（ＶＩＡ）線から見た部分の説明図で、図８Ａは給紙用回動ユニットをロール着脱位置に回動させ且つリタードロール、フィードロールおよびピックアップロールが着脱された状態を示す図、図８Ｂは前記図８ＡのＶＩＢ−ＶＩＢ線断面拡大図、図８Ｃは前記図８ＡのＶＩＣ−ＶＩＣ線断面拡大図である。【００４１】  前記後部固定部材Ｖ１ａと前部固定部材Ｖ１ｂとの間に配置された中間固定部材Ｖ１ｃは、板金製フレーム１３（図２、図４、図６〜図８参照）を有している。前記板金製フレーム１３の上端部には左方（−Ｙ方向）且つ下方に折り曲げられた折曲部１３ａが形成されており、前記折曲部１３ａの上面は用紙ガイド面として形成されている。
図２、図４、図６〜図８において、前記板金製フレーム１３の前後方向（Ｘ軸方向）の中央部の下部には、一対のブラケット１４，１４が固定されている。前記一対のブラケット１４，１４によりリタードロール支持部材１５の前後一対の側壁１５ａ，１５ａがリタードロール回転伝達軸１６回りに回転可能に支持されている。前記一対の側壁１５ａの左端部（−Ｙ端部）にリタードロール装着部１５ｂが形成されている。【００４２】  図６および後述する図９Ｃ、図９Ｄにおいて、前記リタードロール装着部１５ｂ，１５ｂは軸方向外端側の幅の狭い小径部分挿入溝１５ｂ１と前記小径部分挿入溝１５ｂ１の軸方向中央側の小径部分挿入溝１５ｂ２および大径部分保持孔１５ｂ３とを有している。前記小径部分挿入溝１５ｂ１および１５ｂ２の幅は同じであり、前記大径部分保持孔１５ｂ３は前記小径部分挿入溝１５ｂ１，１５ｂ２の幅よりも大きな直径の円形孔である。【００４３】  前記リタードロール支持部材１５は、前記一対のリタードロール装着部１５ｂ，１５ｂを結ぶ直線に平行なリタードロール回転伝達軸１６が回転可能に支持されており、リタードロール回転伝達軸１６には、前記一対のリタードロール装着部１５ｂ，１５ｂの中間部に回転伝達ギヤ１６ａが装着されている。前記リタードロール回転伝達軸１６は、後方（−Ｘ軸方向）に延びており１ウェイクラッチ１７の出力軸に連結されている。前記１ウェイクラッチ１７の入力軸１８は後方に延びており、前記入力軸１８の後端に装着されギヤ（図示せず）は前記駆動部材収容ケース１１内部のギヤ列に噛み合っている。
したがって、前記駆動部材収容ケース１１内の給紙用駆動モータＭ１が回転すると、その回転は、前記入力軸１８、１ウェイクラッチ１７、リタードロール回転伝達軸１６を介して前記リタードロール回転伝達ギヤ１６ａに伝達される。【００４４】  前記リタードロール回転伝達軸１６の外端部にはネジリバネ１９（図４、図６参照）が巻き付けられており、前記ネジリバネ１９の一方の外端部はブラケット１４に係止され、他の外端部は前記リタードロール支持部材１５の側壁１５ａに係止されている。そして、前記ネジリバネ１９の作用により、リタードロール支持部材１５は前記リタードロール装着部１５ｂが上方に移動する回動力（上方への回動力）を常時受けている。前記ネジリバネ１９の作用により上方への回動力を受ける前記リタードロール支持部材１５は、その一対の側壁１５ａの上端面が前記板金製フレーム１３の折曲部１３ａの先端部に当接した位置（図６参照）で上限位置が規制されている。【００４５】  図９は前記リタードロール支持部材のリタードロール装着部と前記リタードロール装着部に着脱可能に装着されるリタードロールユニットの説明図で、図９Ａはリタードロールユニットの正面図、図９Ｂはリタードロールユニットがリタードロール装着部に装着された状態の縦断面図、図９Ｃは前記リタードロール装着部にリタードロールユニットを装着する前の状態を示す図、図９Ｄは前記図９Ｃの矢印ＩＸから見た図、図９Ｅはリタードロール装着部にリタードロールユニットを装着した状態を示す図である。
図９Ａ、図９Ｂにおいて、リタードロールユニットＶ３の軸は軸方向の長さが伸縮する伸縮軸２０により構成されている。伸縮軸２０は、内軸挿入孔２１ａを有する円筒状の外軸２１と、前記内軸挿入孔２１ａに両端から挿入された一対の内軸部材２２ａ，２２ａを有する内軸２２と、前記内軸部材２２ａ，２２ａ間に配置されたコイルバネ２３により構成されている。
前記内軸部材２２ａは、軸方向外端部を形成する小径部分２２ａ１と、前記小径部分２２ａ１に接続する軸方向中央側部分の円筒状外側面を有する大径部分２２ａ２とを有する。前記コイルバネ２３は、前記一対の内軸部材２２ａの前記大径部分２２ａ２がそれぞれ前記内軸挿入孔２１ａの両端から挿入された状態で前記内軸部材２２ａ，２２ａの間に配置される。【００４６】  図９Ｂにおいて、前記内軸部材２２ａの大径部分２２ａ２の内端部には、前記コイルバネ２３に嵌合状態で連結される突起が形成されており、前記コイルバネ２３の両端は、前記一対の内軸部材２２ａの前記突起に嵌合連結されている。また、前記内軸挿入孔２１ａの中央部には内径の小さなリング状突出部が形成されている。前記リング状突出部２１ｂにより前記コイルバネ２３で連結された一対の内軸部材２２ａは前記内軸挿入孔２１ａから抜け落ちないように構成されている。
前記符号２１〜２３で示された要素により伸縮軸２０が構成されている。前記伸縮軸２０の外軸２１表面にはリタードロールＲｓと一体的に回転するギヤ（リタードロール一体回転ギヤ）２４およびリタードロールＲｓが設けられている。前記ギヤ２４は前記リタードロール回転伝達軸１６に装着された回転伝達ギヤ１６ａ（図４参照）と噛み合うギヤである。【００４７】  図９に示すように伸縮軸２０は伸縮軸２０を両端から押えた時に前記長さが収縮する。図９Ｃに示すように伸縮軸２０が収縮した状態で、リタードロール装着部１５ｂ，１５ｂに挿入し、その後前記伸縮軸２０を伸長させると、図９Ｂ、図９Ｅに示すように、伸縮軸２０をリタードロール装着部１５ｂ，１５ｂに容易に装着できる。逆の作業により前記伸縮軸２０を前記リタードロール装着部１５ｂ，１５ｂから容易に離脱させることができる。【００４８】  前記図３において、給紙用回動ユニットＶ２の後端部（−Ｘ端部）の下方にはソレノイド２６が配置されている。前記図５において、前記ソレノイド２６のケース２６ａの下端は固定部材により固定支持されており、ソレノイド２６の伸縮軸２６ｂは上方に向かって延びている。伸縮軸２６ｂの上端にはプレート２７が連結されている。前記伸縮軸２６ｂの周囲には圧縮コイルバネ２８が配置されており、前記圧縮コイルバネ２８は前記ソレノイド２６のケース２６ｂの上端と前記プレート２７との間で圧縮されている。前記伸縮軸２６ｂは前記圧縮コイルバネ２８により常時伸長する力を受けている。【００４９】  前記図３、図７、図８において、給紙用回動ユニットＶ２は板金製の回動プレート（給紙用ロール支持部材）３０を有している。回動プレート３０の前後方向（Ｘ軸方向）の両端部の左端部は、軸３０ａ，３０ａにより後部固定部材Ｖ１ａ、前部固定部材Ｖ１ｂに対して回動可能に支持されている。前記回動プレート３０は、図７、図８の実線位置に示すロール着脱位置と２点線で示す動作位置（給紙動作を実行する位置）との間で回動可能である。回動プレート３０の前記２点鎖線で示す動作位置において下向きの面（下面）はフィードロールＲｋおよびピックアップロールＲｐが装着されるロール装着面として形成されている。前記ロール装着面は前記実線で示すロール着脱位置に回動した状態では上向きになって、ロール着脱作業が容易に行えるように構成されている。【００５０】  図１０は給紙用回動ユニットの要部説明図で、図１０Ａは前記図７の矢印ＸＡから見た図、図１０Ｂは前記図１０Ａの矢印ＸＡから見た図、図１０Ｃは前記図１０Ａの矢印ＸＢ−ＸＢ線断面図である。
図１１は給紙用回動ユニットの要部説明図で、図１１Ａは前記図８の矢印ＸＩＸＩから見た図、図１１Ｂは前記図１１ＡのＸＩＡ−ＸＩＡ線断面図、図１１Ｃは前記図１１Ａの矢印ＸＩＣ−ＸＩＣ線断面図である。
図３、図１０、図１１において前記回動プレート３０には開口３０ａ，３０ｂ，３０ｃ（図３、図１０参照）が形成されている。
図１０、図１１において前記開口３０ａの前後方向（Ｘ軸方向）の両端には板金製の回動フレート３０の一部を折り曲げて側壁３１、３２が形成されている。前記開口３０ｂの後端（−Ｘ端）には、回動フレート３０の一部を折り曲げて側壁３３，３４が形成されており、前記側壁３３は前記側壁３１と平行に隣接して配置されている。前記開口３０ｃの前端（Ｘ端）には、回動フレート３０の一部を折り曲げて側壁３５が形成されており、前記側壁３５は前記側壁３２と平行に隣接して配置されている。【００５１】  図１０、図１１において、側壁３１，３２にはそれぞれフィードロール装着用大径溝３１ａ，３２ａが形成されている。図１０Ｂ、図１１Ｂに示すように、前記フィードロール装着用大径溝３１ａ，３２ａは外端の開口から内端の大径孔に行くに従って間隔が狭くなるテーパ溝を有している。
前記側壁３３，３５にはそれぞれフィードロール装着用小径溝３３ａ，３５ａが形成されている。図１０Ｃ、図１１Ｃに示すように、前記フィードロール装着用小径溝３３ａ，３５ａは外端の開口から内端の小径溝に行くに従って間隔が狭くなるテーパ溝を有している。
前記フィードロール装着用大径溝３１ａおよびフィードロール装着用小径溝３３ａによりフィードロールユニットＶ４（後述の図１２参照）の前端装着用のフィードロール装着部（３１ａ＋３３ａ）が形成され、前記フィードロール装着用大径溝３２ａおよびフィードロール装着用小径溝３５ａによりフィードロールユニットＶ４（後述の図１２参照）の後端装着用のフィードロール装着部（３２ａ＋３５ａ）が形成されている。前記符号３１ａ，３３ａ，３２ａ，３５ａにより示された要素によりフィードロール装着部（３１ａ＋３３ａ＋３２ａ＋３５ａ）が形成されている。【００５２】  前記回動プレート３０が前記給紙動作を行う動作位置（図７、図８で２点鎖線位置）に回動した状態で下向きとなり、ロール着脱位置（図７、図８で実線位置）に回動した状態で上向きになるロール装着面には、円筒軸により構成されたピックアップロール装着部材連結軸３７（図４、図５、図１０、図１１参照）が回転可能に支持されている。ピックアップロール装着部材連結軸３７の後端部には軸方向端部において半径方向に突出する突出部材３７ａ（図５参照）が設けられている。前記円筒軸により構成されたピックアップロール装着部材連結軸３７の前端部は前記側壁３２（図５、図１０参照）を回転可能に貫通している。図１０、図１１において、前記円筒軸により構成されたピックアップロール装着部材連結軸３７の前端部にはネジリバネ（弾性部材）３８が装着されている。ネジリバネ３８の一端は前記ピックアップロール装着部材連結軸３７に連結されており、他端は前記回動プレート３０のロール装着面に係止されている。前記ネジリバネ３８は前記ピックアップロール装着部材連結軸３７の前記突出部材３７ａ（図５参照）を常時下方に回動させるように作用している。【００５３】  前記円筒軸により構成されたピックアップロール装着部材連結軸３７の内部にはロール回転伝達軸３９が回転可能に貫通している。ロール回転伝達軸３９の後端部には回転導入ギヤＧ１（図３、図５参照）が装着されている。前記回転導入ギヤＧ１は、前記回動プレート３０が図３に示す位置または図７、図８の２点鎖線で示す位置（給紙動作を行う動作位置）に移動した状態では、前記後部固定部材Ｖ１ａの駆動部材収容ケース１１内部に配置されたギヤ列（図示せず）と噛み合って、回転が導入される。
図１０、図１１において、前記ロール回転伝達軸３９の前端部は前記ピックアップロール装着部材連結軸３７を貫通して、その前端は樹脂材料製の低摩擦円筒部材４０を介して前記側壁３１に回転可能に装着されている。
前記ロール回転伝達軸３９には回転出力ギヤＧ２が装着されている。前記回転出力ギヤＧ２は、前記側壁３２に回転可能に支持されたギヤＧ３と噛み合っている。したがって、前記ロール回転伝達軸３９の後端に装着された回転導入ギヤＧ１の回転はロール回転伝達軸３９、ギヤＧ２を介してギヤＧ３に伝達される。【００５４】  ピックアップロール装着部材Ｖ５は、図３、図１０に示すように、連結プレート４１と、前記連結プレート４１の前後両端に設けた前後一対の側壁４２，４２とを有している。後側の前記側壁４２は前記ピックアップロール装着部材連結軸３７の前端に一体的に連結されており、前記前側の側壁４２は前記低摩擦円筒部材４０上に回転可能に支持されている。したがって、前記一対の側壁４２，４２および前記連結プレート４１は前記ピックアップロール装着部材連結軸３７と一体的に、前記ロール回転伝達軸３９上で回動可能でる。
前記一対の側壁４２，４２には、ピックアップロール装着部４２ａ，４２ａが形成されている。後側の側壁４２にはギヤＧ４が回転可能に装着されており、ギヤＧ４は前記回転出力ギヤ２と噛み合っている。また前側の側壁４１には遮光板４３が固定されている。
前記ピックアップロール装着部材Ｖ５は、前記符号４１〜４３およびＧ４で示された要素により構成されている。【００５５】  図６、図１０、図１１において、前記側壁３４にはピッアップロール位置センサＳＮが固定されている。ピッアップロール位置センサＳＮは、間隔を空けて配置した発光素子ＳＮ１および受光素子ＳＮ２を有している。前記発光素子ＳＮ１および受光素子ＳＮ２の間には、前記ピックアップロール装着部材Ｖ５の前記遮光板４３が配置されている。
前記円筒軸により形成されたピックアップロール装着部材連結軸３７が前記ロール回転伝達軸３９上で回動すると、ピックアップロール装着部材Ｖ５がピックアップロール装着部材連結軸３７と一体的に回動する。このとき、ピックアップロール装着部材Ｖ５の前記遮光板４３が回動するので、前記ピッアップロール位置センサＳＮの受光素子ＳＮ２の検出光量が変化する。したがって、前記ピッアップロール位置センサＳＮの受光素子ＳＮ２の検出光量によりピックアップロール装着部材Ｖ５の回動角を検出することができる。【００５６】  図１２は前記フィードロール装着部と前記フィードロール装着部に着脱可能に装着されるフィードロールユニットの説明図で、図１２Ａはフィードロールユニットの正面図、図１２Ｂはフィードロールユニットがフィードロール装着部に装着された状態の縦断面図である。
図１２において、前記フィードロール装着部（３１ａ＋３３ａ＋３２ａ＋３５ａ）に着脱可能に装着されるフィードロールユニットＶ４は、軸方向の長さが伸縮する伸縮軸４０を有している。
伸縮軸４０は前記伸縮軸２０と同様に構成されているので、詳細な説明は省略する。伸縮軸４０は、内軸挿入孔４１ａを有する円筒状の外軸４１と、前記内軸挿入孔４１ａに両端から挿入された一対の内軸部材４２ａ，４２ａを有する内軸４２と、前記内軸部材４２ａ，４２ａ間に配置されたコイルばね４３により構成されている。前記内軸部材４２ａは、前記軸方向外端部を形成する小径部分（伸縮軸４０の外端部）４２ａ１と、前記小径部分４２ａ１に接続する軸方向中央側部分の円筒状外側面を有する大径部分４２ａ２とを有する。
前記伸縮軸４０の回転自在な外軸４１にはフィードロールＲｋと一体的に回転するギヤ（フィードロール一体回転ギヤ）Ｇ５およびフィードロールＲｋが支持されている。前記ロールユニット側接続ギヤ４７は前記ギヤＧ３（図１０参照）と噛み合うギヤである。
前記フィードロールユニットＶ４の前記フィードロール装着部（３１ａ＋３３ａ＋３２ａ＋３５ａ）への着脱作業は、回動プレート３０を前記図７の実線で示す着脱作業位置に回動させた状態で行う。【００５７】  図１３は前記ピックアップロール装着部材のピックアップロール装着部に着脱可能に装着されるピックアップロールユニットの説明図で、図１３Ａはピックアップロールユニットの正面図、図１３Ｂはピックアップロールユニットがピックアップロール装着部に装着された状態の縦断面図である。
図１３において、前記ピックアップロール装着部材Ｖ６のピックアップロール装着部４２ａ，４２ａに着脱可能に装着されるピックアップロールユニットＶ６は、軸方向の長さが伸縮する伸縮軸５０を有している。
伸縮軸５０は前記伸縮軸２０と同様に構成されているので、詳細な説明は省略する。伸縮軸５０は、内軸挿入孔５１ａ有する円筒状の外軸５１と、前記内軸挿入孔５１ａに両端から挿入された一対の内軸部材５２ａ，５２ａを有する内軸５２と、前記内軸部材５２ａ，５２ａ間に配置されたコイルばね５３により構成されている。前記内軸部材５２ａは、前記軸方向外端部を形成する小径部分（伸縮軸５０の外端部）５２ａ１と、前記小径部分５２ａ１に接続する軸方向中央側部分の円筒状外側面を有する大径部分５２ａ２とを有する。
前記伸縮軸５０の回転自在な外軸５１にはピックアップロールＲｐと一体的に回転するギヤ（ピックアップロール一体回転ギヤ）Ｇ６およびピックアップロールＲｐが支持されている。前記ギヤＧ６は前記ギヤＧ４（図１０、図１１参照）と噛み合うギヤである。前記ギヤＧ３〜Ｇ６により前記回転出力ギヤＧ２の回転をフィードロールＲｋ、ピックアップロールＲｐに伝達する回転伝達ギヤ（Ｇ３〜Ｇ６）が構成されている。
前記ロール回転伝達軸３９と回転伝達ギヤ（Ｇ３〜Ｇ６）によりロール回転力伝達部材（３９，Ｇ１〜Ｇ６）が構成されている。
前記ピックアップロールユニットＶ６の前記ピックアップロール装着部４２ａ，４２ａへの着脱作業は、回動プレート３０を前記図７の実線で示す着脱作業位置に回動させた状態で行う。【００５８】（実施例１の作用）
前記構成を備えた実施例１の給紙装置では、回動プレート３０のロール装着面には、前記ピックアップロール装着部材Ｖ５、ピックアップロール装着部材連結軸３７、ロール回転伝達軸３９、ギヤＧ１〜Ｇ４等が装着される。
前記リタードロールユニットＶ３は、前記回動プレート３０を前記図７、図８に実線で示すロール着脱作業位置に回動させた状態で、リタードロール支持部材１５のリタードロール装着部１５ｂ，１５ｂに容易に装着することができる。
フィードロールユニットＶ４は、前記回動プレート３０を前記図７、図８に実線で示すロール着脱作業位置に回動させた状態で、回動プレート３０のフィードロール装着部（３１ａ＋３３ａ＋３２ａ＋３５ａ）に容易に着脱することができる。また、ピックアップロールユニットＶ６は、前記回動プレート３０を前記図７、図８に実線で示すロール着脱作業位置に回動させた状態で、回動プレート３０に装着されたピックアップロール装着部材Ｖ５のピックアップロール装着部４２ａ，４２ａに容易に着脱することができる。
したがって、リタードロールユニットＶ３、フィードロールユニットＶ４、およびピックアップロールユニットＶ６はそれぞれ個別に交換することができるので、各ロールユニットの寿命に応じて交換すればよい。そのため、各ロールユニット毎に適切な時期に別々に容易に交換することができる。【００５９】  前記回動プレート３０が図３の状態または図７の２点鎖線位置に移動した状態（すなわち、動作位置に回動した状態）では、ロール回転伝達軸３９の後端部に装着された回転導入ギヤＧ１は前記後部固定部材Ｖ１ａの駆動部材収容ケース１１内部に配置されたギヤ列（図示せず）と噛み合う。また、ピックアップロール装着部材連結軸３７は前記ネジリバネ３８（図１０参照）により常時下方に回動する力を受けているが、ピックアップロール装着部材連結軸３７の後端部の突出部材３７ａ（図５参照）の下面に当接するプレート２７が、ソレノイド２６の伸縮軸２６ｂを常時伸長させるように作用する圧縮コイルバネ２８により上方に持ち上げられている。前記突出部材３７ａが上方に持ち上げられている状態（図５Ｂに示す状態）では、ピックアップロール装着部材連結軸３７と一体的に回転するピックアップロール装着部材Ｖ５も上方に回動した位置に保持される。【００６０】  図１４はピックアップロール装着部材Ｖ５が上方の非取出位置（用紙取出を行わない位置）に回動した状態を示す図である。
図１５はピックアップロール装着部材Ｖ５が下方の用紙取出位置に回動した状態を示す図である。
前記５Ｂのようにソレノイド２６が圧縮バネ２８により伸長して図１４に示すように、ピックアップロール装着部材Ｖ５が上方に回動した状態において、前記ソレノイド２６に通電すると、ソレノイド２６の伸縮ロッド２６ｂが収縮する。前記伸縮ロッド２６ｂが収縮すると、ネジリバネ３８（図１０参照）の作用によりピックアップロール装着部材連結軸３７が回転する。このとき、前記突出部材３７ａおよびピックアップロール装着部材Ｖ５が下方に回動する。このとき、ピックアップロール装着部材Ｖ５およびそれに装着されたピックアップロールＲｐは図１５の状態となって用紙の取出しが可能になる。
図１５の状態で、前記ソレノイド２６の通電を停止すると前記図１４の状態に戻る。【００６１】  前記実施例１によれば、給紙装置で使用されるリタードロールＲｓ，フィードロールＲｋ，ピックアップロールＲｐ等の搬送ロール（用紙を搬送するロール）を、工具を使用せずに容易に交換することができる。
また、給紙装置で使用される搬送ロール（用紙を搬送するロール）の交換作業時の部品の紛失や組付け忘れ、組付けミス等の発生を防止することができる。
また、給紙装置で使用されるリタードロールユニットＶ３、フィードロールユニットＶ４、ピックアップロールユニットＶ６の交換作業を片手で行うことができる。
【産業上の利用可能性】
【００６２】（変更例）
以上、本発明の実施例を詳述したが、本発明は、前記実施例に限定されるものではなく、特許請求の範囲に記載された本発明の要旨の範囲内で、種々の変更を行うことが可能である。本発明の変更例（Ｈ０１）〜（Ｈ０）を下記に例示する。
（Ｈ０１）回転するリタードロールの代わりに回転しないリタード部材を使用可能である。その場合のリタード部材としては、フィードロールとの接触部に搬送された用紙の下面が用紙搬送方向下流側に移動するのを妨げるように作用する従来の種々のリタード部材を使用可能である。
【図面の簡単な説明】
【００６３】
【図１】図１は本発明の実施例１の画像形成装置（タンデム式デジタルカラー複写機）の全体説明図である。
【図２】図２は図１の要部拡大説明図で、給紙トレイＴＲ４の右端部の用紙取出部の説明図である。
【図３】図３は給紙装置の説明図で、図３Ａは給紙装置のリタードロール、フィードロール、ピックアップロール装着部材、およびピックアップロールを除いた給紙装置をシート搬送方向上流側の斜め上方から見た斜視図、図３Ｂはリタードロールユニットの斜視図、図３Ｃはフィードロールユニットの斜視図、図３Ｄはピックアップロール装着部材の斜視図、図３Ｅはピックアップロールの斜視図である。
【図４】図４は前記図３の給紙装置の要部をシート搬送方向下流側の斜め上方から見た斜視図である。
【図５】図５はピックアップロール装着部材位置調節装置の説明図で、図５Ａは斜視図、図５Ｂは前記図５Ａの矢印ＶＢから見た図である。
【図６】図６は図３の矢印ＩＶＡ−ＩＶＡ線から見た部分の説明図で、図６Ａは着脱自在なリタードロールを外した状態での図３の矢印ＩＶＡ−ＩＶＡ線断面図、図６Ｂは前記図６ＡのＩＶＢ−ＩＶＢ線断面拡大図である。
【図７】図７は前記図３の矢印ＶＡ−ＶＡから見た部分の説明図で、図７Ａは給紙用回動ユニットをロール着脱位置に回動させ且つリタードロール、フィードロールおよびピックアップロールを着脱する前の状態を示す図、図７Ｂは前記図７ＡのＶＢ−ＶＢ線断面拡大図、図７Ｃは前記図７ＡのＶＣ−ＶＣ線断面拡大図である。
【図８】図８は前記図３の矢印ＶＡ（ＶＩＡ）−ＶＡ（ＶＩＡ）線から見た部分の説明図で、図８Ａは給紙用回動ユニットをロール着脱位置に回動させ且つリタードロール、フィードロールおよびピックアップロールが着脱された状態を示す図、図８Ｂは前記図８ＡのＶＩＢ−ＶＩＢ線断面拡大図、図８Ｃは前記図８ＡのＶＩＣ−ＶＩＣ線断面拡大図である。
【図９】図９は前記リタードロール支持部材のリタードロール装着部と前記リタードロール装着部に着脱可能に装着されるリタードロールユニットの説明図で、図９Ａはリタードロールユニットの正面図、図９Ｂはリタードロールユニットがリタードロール装着部に装着された状態の縦断面図、図９Ｃは前記リタードロール装着部にリタードロールユニットを装着する前の状態を示す図、図９Ｄは前記図９Ｃの矢印ＩＸから見た図、図９Ｅはリタードロール装着部にリタードロールユニットを装着した状態を示す図である。
【図１０】図１０は給紙用回動ユニットの要部説明図で、図１０Ａは前記図７の矢印ＸＡから見た図、図１０Ｂは前記図１０Ａの矢印ＸＡから見た図、図１０Ｃは前記図１０Ａの矢印ＸＢ−ＸＢ線断面図である。
【図１１】図１１は給紙用回動ユニットの要部説明図で、図１１Ａは前記図８の矢印ＸＩＸＩから見た図、図１１Ｂは前記図１１ＡのＸＩＡ−ＸＩＡ線断面図、図１１Ｃは前記図１１Ａの矢印ＸＩＣ−ＸＩＣ線断面図である。
【図１２】図１２は前記フィードロール装着部と前記フィードロール装着部に着脱可能に装着されるフィードロールユニットの説明図で、図１２Ａはフィードロールユニットの正面図、図１２Ｂはフィードロールユニットがフィードロール装着部に装着された状態の縦断面図である。
【図１３】図１３は前記ピックアップロール装着部材のピックアップロール装着部に着脱可能に装着されるピックアップロールユニットの説明図で、図１３Ａはピックアップロールユニットの正面図、図１３Ｂはピックアップロールユニットがピックアップロール装着部に装着された状態の縦断面図である。
【図１４】図１４はピックアップロール装着部材Ｖ５が上方の非取出位置（用紙取出を行わない位置）に回動した状態を示す図である。
【図１５】図１５はピックアップロール装着部材Ｖ５が下方の用紙取出位置に回動した状態を示す図である。
【符号の説明】
【００６４】Ｒｐ…ピックアップロール、
ＴＲ１〜ＴＲ４…給紙トレイ、
Ｖ５…ピックアップロール装着部材、
３０…給紙用ロール支持部材（回動プレート）
３７…ピックアップロール装着部材連結軸、
３８…弾性部材、
３９…ロール回転伝達軸、
４２ａ…ピックアップロール装着部、
Ｇ１…回転導入ギヤ、
Ｇ２…回転出力ギヤ、
Ｇ３〜Ｇ６…回転伝達ギヤ、
３９，Ｇ１〜Ｇ６…ロール回転力伝達部材
【図１】
2005320153.tif 000003
【図２】
2005320153.tif 000004
【図３】
2005320153.tif 000005
【図４】
2005320153.tif 000006
【図５】
2005320153.tif 000007
【図６】
2005320153.tif 000008
【図７】
2005320153.tif 000009
【図８】
2005320153.tif 000010
【図９】
2005320153.tif 000011
【図１０】
2005320153.tif 000012
【図１１】
2005320153.tif 000013
【図１２】
2005320153.tif 000014
【図１３】
2005320153.tif 000015
【図１４】
2005320153.tif 000016
【図１５】
2005320153.tif 000017